(57)【要約】  【課題】    リモートコントローラでワイヤレス制御ができ、小さく軽く、設置が迅速且つ容易にでき、従来のスイッチを交換する必要なく、調光と防犯機能を得ることができると共に、ランダムに点灯と消灯を行う防犯機能を備えた、防犯機能付ワイヤレス調光モジュールの提供。  【解決手段】    回路板を外蓋と底蓋の内部に設置した制御モジュールを含み、該回路板上に受信端、制御コネクタ、伝送コネクタ、マイクロプロセッサ、電源回路、短絡保護回路、駆動回路、無線受信器、エンコードスイッチを設け、制御モジュールの伝送コネクタをライトと電源にそれぞれ接続し、制御コネクタをスイッチと接続し、該スイッチで複数回オン／オフの動作を行うと、該マイクロプロセッサが制御コネクタからの回路の開閉状態を受取った後、異なる回数のオンとオフの状態に応じて、対応する電球の発光状態信号を駆動回路に伝送し、該駆動回路を介し対応する制御信号を発生し、電源回路を経由してライトの電球の発光制御を行う。  【選択図】    図４
0003111993.tif 000002
【実用新案登録請求の範囲】
【請求項１】
外蓋、底蓋、導線、回路板から構成される制御モジュールから成り、該回路板を外蓋と底蓋の内部に設置し、該回路板上に受信端、制御コネクタ、伝送コネクタ、マイクロプロセッサ、電源回路、短絡保護回路、駆動回路、無線受信器、エンコードスイッチを設け、制御モジュールの伝送コネクタをライトと電源にそれぞれ接続し、他端にある制御コネクタをスイッチと接続し、該スイッチで複数回オン／オフの動作を行うと、該マイクロプロセッサが制御コネクタからの回路の開閉状態を受取った後、異なる回数のオンとオフ状態に応じて、対応する電球の発光状態信号を駆動回路に伝送し、該駆動回路を介し対応する制御信号を発生し、電源回路を経由してライトの電球の発光制御を行う防犯機能付ワイヤレス調光モジュール。
【請求項２】
さらにリモートコントローラで制御を行うことができ、該リモートコントローラは上蓋、底蓋、回路板から構成され、該回路板を上蓋と底蓋の間に設置し、該回路板に無線信号の発信端、無線発信器、マイクロプロセッサ、エンコードスイッチ、ボタンスイッチを設け、該ボタンスイッチで複数回スイッチをオンにする動作を行うと、該マイクロプロセッサがボタンスイッチの制御信号を受け取り、該制御信号にエンコードスイッチで信号識別コードに伝え、無線発信器を経由し無線信号に変換した後、発信端から発信し、該制御モジュールの受信端が無線信号を受け取ると、無線受信器が該無線信号を制御信号に変換し、マイクロプロセッサがエンコードスイッチの識別コードと受け取った信号とを照合し、リモートコントローラからの制御信号であるか否かを判定して、ライトの電球に対し発光制御を行う請求項１に記載の防犯機能付ワイヤレス調光モジュール。
【請求項３】
前記無線受信器と無線発信器が対応する無線信号が赤外線、ブルートゥース、FM(Frequency
Modulation )、AM(Amplitude Modulation )などの関連無線信号伝送技術で信号の伝送を行う請求項１または２に記載の防犯機能付ワイヤレス調光モジュール。
【請求項４】
前記電球が制御モジュールに対応し、連続した動態点滅状態、ランダムな点灯・消灯状態及び特定の発光輝度固定状態を発生する請求項１または２に記載の防犯機能付ワイヤレス調光モジュール。
【請求項５】
前記ライトがスタンドランプ、デスクランプ、壁ランプとする照明器具である、
請求項１または２に記載の防犯機能付ワイヤレス調光モジュール。
【請求項６】
前記電球が白熱電球、ハロゲンとする請求項１または２または５に記載の防犯機能付ワイヤレス調光モジュール。
【考案の詳細な説明】
【技術分野】
【０００１】
本考案は防犯機能付ワイヤレス調光モジュールに関し、詳細には、通常の使用を行う場合は、電球が前回の輝度を維持した状態の発光状態となり、この発光状態下でスイッチを素早く一回押すと、制御モジュールが電球を調光状態とし、電球の輝度が徐々に増して最大となり、さらに徐々に減じて消灯する周期的な循環連続調光動作を行い、この調光状態において、スイッチを素早く一回押すと、電球の輝度が固定され調光動作が停止する、防犯機能付ワイヤレス調光モジュールに関する。
【０００２】
通常の使用時においては、電球が最後に使用されたときの発光輝度を制御モジュールが記録し、電球をオンにするたびに、輝度が一定に調節された輝度となり、発光調節と電球の輝度保持機能が形成される。
【０００３】
防犯機能は、通常の使用状態下にある制御モジュールにおいてスイッチを数回連続して押すと、制御モジュール内部が電球を防犯状態に入らせ、ランダム時間で電球の発光状態と消灯状態を制御し、順序に従い循環させる。
【０００４】
本考案はさらにワイヤレス遠隔制御機能を備え、リモートコントローラを使用し上述のすべての操作を制御することができる。
【背景技術】
【０００５】
図１及び図１aに示すように、従来のスタンドランプA１は、コントローラBを接続し、コントローラBを介して電球Cの輝度を調整するものである。また、一部のコントローラBは防犯機能を備え、このような防犯機能は、一定の時間周期で発光と消灯を行い、規則的な点滅を形成し、屋内が確実に無人であることを容易に判断できるようにするものである。
【０００６】
また、図２及び図２aに示すように、従来の壁ランプA２は、スイッチEで電球Cの点灯と消灯を制御するが、一般的なスイッチEには光線の調整機能はなく、単純にオン／オフの制御ができるのみであるため、輝度制御機能を備えたスイッチを使用したい場合は、従来のスイッチEとパネルE１全体を取り外した後、調光機能を備えたスイッチに交換しなければならない。
【０００７】
また、現行の多機能スイッチは、そのパネル設計においても何の特色もなく、室内設計と内装の必要性に合わせることはできず、且つ、その内部の体積が大きいため設置が難しく、使用者にとって使用が困難である。
【考案の開示】
【考案が解決しようとする課題】
【０００８】
本考案の目的は、リモートコントローラでワイヤレス制御ができ、体積が小さく、重量も軽く、設置が迅速且つ容易にでき、従来のスイッチを交換する必要なく、調光と防犯機能を得ることができると共に、ランダムに点灯と消灯を行う防犯機能を備えた、防犯機能付ワイヤレス調光モジュールを提供することにある。
【課題を解決するための手段】
【０００９】
本考案の防犯機能付ワイヤレス調光モジュールは、外蓋、底蓋、導線、回路板から構成される制御モジュールを含み、該回路板を外蓋と底蓋の内部に設置し、該回路板上に受信端、制御コネクタ、伝送コネクタ、マイクロプロセッサ、電源回路、短絡保護回路、駆動回路、無線受信器、エンコードスイッチを設け、制御モジュールの伝送コネクタをライトと電源にそれぞれ接続し、他端にある制御コネクタをスイッチと接続し、該スイッチで複数回オン／オフの動作を行うと、該マイクロプロセッサが制御コネクタからの回路の開閉状態を受取った後、異なる回数のオンとオフ状態に応じて、対応する電球の発光状態信号を駆動回路に伝送し、該駆動回路を介し対応する制御信号を発生し、電源回路を経由してライトの電球の発光制御を行う。
【考案の効果】
【００１０】
以下、本考案と従来品を比較して分析する。
<従来品の欠点>
１、調光装置をワイヤレス制御できず、ボタンを回転させて制御しなければならない。
２、防犯効果には限りがあり、且つ、一定の周期で動作するため、防犯機能が動作しているということが容易に推測されてしまう。
３、従来のスイッチには直接調光装置を設置することはできず、スイッチとパネル全体を交換しなければならない。
４、調光装置を備えたスイッチは室内設計に合わせて使用することができず、その外型と設計は皆単一で変化がない。
５、調光装置を備えたスイッチはコストが高く、同時に体積が大きく、重量も重い。
６、調光装置と防犯装置は個別に設置する必要があり、設置における難度が高い。
【００１１】
<本考案の利点>
１、ワイヤレス制御ができ、リモートコントローラで必要な機能を制御することができる。
２、体積が小さく、重量も軽く、設置が迅速且つ容易にできる。
３、従来のスイッチとライトの規格と互換性がある。
４、従来のスイッチを交換する必要なく、調光と防犯機能を得ることができる。
５、主動式防犯機能を採用し、人がライトを制御しているのか、防犯装置がライトを制御しているのかが推測されにくい。
６、操作に便利であり、別途その他設備を追加設置する必要がなく、同時に調光と防犯の機能が得られる。
７、進歩性、実用性、利便性を備えている。
８、産業的レベルアップを促進し、産業的競争力を向上できる。
【考案を実施するための最良の形態】
【００１２】
本考案の防犯機能付ワイヤレス調光モジュールは制御モジュールFから成り、この制御モジュールFは高周波接着を施して成る外蓋F１と底蓋F２の中に収容された回路板Gとこの回路板に配された制御コネクタに接続する導線Ｆ３から構成される。
【００１３】
回路板G上には受信端G１、制御コネクタG２、伝送コネクタG３、マイクロプロセッサG４、電源回路G５、短絡保護回路G６、駆動回路G７、無線受信器G８、エンコードスイッチG９を設置する。
【００１４】
リモートコントローラIは、上蓋I７と底蓋I８の中に収容された回路板I９から構成される。
【００１５】
回路板I９上には無線信号I１の発信端I２、無線発信器I３、マイクロプロセッサI４、エンコードスイッチI５、ボタンスイッチI６、電池I１０を設置する。
【００１６】
図５、図６に示すように、制御モジュールFの伝送コネクタG３にライトAと電源Hをそれぞれ接続し、別の片側の制御コネクタG２と従来のスイッチEを接続し、スイッチEでオンまたはオフ等の動作を行うと、マイクロプロセッサG４が制御コネクタG２からのスイッチの開閉状態を受け取った後、異なる回数のオン／オフ状態に応じて対応する電球Cの発光状態の信号を駆動回路G７に伝送し、駆動回路G７が対応する制御信号を発生し、電源回路G５を経由してライトAの電球Cの発光制御電力を発生し、電球Cに連続した動態点滅状態、ランダムな点滅状態及び特定の発光輝度の固定状態を発生させる。
【００１７】
また、制御モジュールFのマイクロプロセッサG４は、スイッチEからのオンとオフの制御信号を受け取るほか、リモートコントローラIからの制御信号も受け取り、ボタンスイッチI６で連続または連続しないオン／オフを行うと、マイクロプロセッサI４がボタンスイッチI６の制御信号を受け取った後、制御信号にエンコードスイッチI５で信号識別コードを加え、無線発信器I３を経由して無線信号に変えて発信端I２から送信する。
【００１８】
制御モジュールFの受信端G１が無線信号I１を受け取ると、無線受信器G８により無線信号I１を制御信号に変えた後、伝送コネクタG３を経由し信号をマイクロプロセッサG４へ伝送し、このときマイクロプロセッサG４がエンコードスイッチG９の識別コードと受け取った信号を照合し、リモートコントローラIからの制御信号と確認した後、ボタンスイッチI６のオン／オフ状態の回数に応じ、対応する電球Cの発光状態信号を駆動回路G７へ伝送し、駆動回路G７を介して対応する制御信号を発生し、電源回路G５を経由して電球Cの発光制御電力を発生し、電球Cに連続した動態点滅状態、ランダムな点滅状態及び特定の発光輝度の固定状態を発生させる。
【００１９】
ライトAの電球Cに短絡や焼き付きが起こり、発生する高圧または大電流が制御モジュールF内部の回路を破壊するのを防ぐため、内部に短絡保護回路G６を設け、特殊な状況の異常電圧または電流が内部の回路を破壊するのを防止する。
【００２０】
無線受信器G８と無線発信器I３が対応する無線信号I１は、さらに赤外線やブルートゥース、FM(Frequency
Modulation)、AM(Amplitude Modulation)などの関連無線信号伝送技術で信号を伝送するものとする。
【００２１】
また、電球Cは白熱電球、高圧ハロゲン電球及び関連のフィラメントを発光源とした電球とする。
【００２２】
本考案の実施方法は、図１０及び図１０dに示すように、制御モジュールFと従来のスイッチEを相互に接続し、制御モジュールFにより壁ランプA２を制御する。また図１１及び図１１eに示すように、直接デスクランプA３の内部に制御モジュールFを設置し、且つ、制御モジュールFとデスクランプA３のスイッチEを相互に接続してもよい。上述の接続方式はすべて従来のスイッチEを交換する必要がない。
【００２３】
通常の使用時(図７参照)において、スイッチEをオンにすると、電球Cは前回の輝度を維持した発光状態Kとなり、この発光状態K下において、スイッチEで連続したオンJとオフJ１を行うと、制御モジュールFが内部回路(図５及び図６参照)により電球Cを調光状態K１にし、このとき電球Cは連続した発光と消灯を行い、且つ、その発光と消灯はアナログ方式の動態累増発光と逓減消灯で行われる。
【００２４】
調光状態K１下において、スイッチEでオンJとオフJ１の動作を行うと、制御モジュールFが調光状態K１の最後の発光輝度を記録し、電球Cをこの発光輝度に保持する。
【００２５】
通常の使用時において、制御モジュールFは電球Cの最後の一回の発光輝度を記録し、オンJにするたびに、電球Cの輝度を調節輝度内に固定し、発光調節と輝度保持機能が得られる。
【００２６】
防犯状態においては（図８参照)、通常の使用状態下にある制御モジュールFにおいてスイッチEをオンJとオフJ１を数回連続して行うと、制御モジュールF内部の回路(図５及び図６参照)が電球Cを防犯状態にし、ランダム時間Lで電球を発光状態Kにした後、ランダム時間Lで電球Cを消灯状態K３にし、順序に従い循環させ、電球Cの発光状態Kと消灯状態K３の周期を記録することができず、主動的な防犯機能が得られる。
【００２７】
図９及び図９cに示すように、スタンドランプA１のコントローラB内部には制御モジュールFが設置され、リモートコントローラIのボタンスイッチI６で電球Cの発光と消灯を制御し、通常の使用時(図７参照)においてはボタンスイッチI６で電球Cを制御し前回使用時の輝度を維持させ、発光状態Kとする。
【００２８】
発光状態K下において、ボタンスイッチI６で連続したオンJとオフJ１の操作を行うと、制御モジュールFが内部回路(図５及び図６参照)を介して電球Cを調光状態K１にし、このとき電球Cは連続した発光と消灯を行い、且つ、その発光と消灯はアナログ方式の動態累増発光と逓減消灯で行われる。
【００２９】
発光状態K１下において、ボタンスイッチI６でオンJとオフJ１の動作を行うと、制御モジュールFが調光状態K１の最後の発光輝度を記録した後、電球Cにこの発光輝度を保持させる。
同時に、通常の使用時において、制御モジュールFはいつも電球Cの最後の一回の発光輝度を記録し、オンJにするたびに、電球Cの輝度を調節輝度内に固定し、発光調節と輝度保持機能が得られる。
【００３０】
防犯機能を用いるときは(図８参照)、通常の使用状態の制御モジュールFにおいて、ボタンスイッチI６を連続してオンJとオフJ１を数回繰り返すと、制御モジュールF内部の回路(図５及び図６参照)が電球Cを防犯状態にし、ランダム時間Lで電球を発光状態Kに制御した後、ランダム時間Lを計り、さらに電球Cを消灯状態K３にし、これを順序に従い循環し、電球Cの発光状態Kと消灯状態K３の周期を記録することができず、主動的な防犯機能が得られる。
【図面の簡単な説明】
【００３１】
【図１】従来のスタンドランプの立体図である。
【図１ａ】図１のa部分の立体拡大図である。
【図２】従来の壁ランプの立体図である。
【図２ｂ】図２のb部分の立体拡大透視図である。
【図３】本考案の立体斜視図である。
【図４】本考案の立体分解図である。
【図４−１】本考案のリモートコントローラの立体分解図である。
【図５】本考案の主要なフローチャートである。
【図６】本考案の回路のフローチャートである。
【図７】本考案の通常の使用時のフローチャートである。
【図８】本考案の防犯機能使用時のフローチャートである。
【図９】本考案を設置したスタンドランプを示す立体図である。
【図９ｃ】図９のc部分の立体拡大図である。
【図１０】本考案を設置した壁ランプを示す立体図である。
【図１０ｄ】図１０のd部分の立体拡大透視図である。
【図１１】本考案を設置したデスクランプを示す立体図である。
【図１１ｅ】図１１のe部分の立体拡大図である。
【符号の説明】
【００３２】
A          ライト
A１        スタンドランプ
A２        壁ランプ
A３        デスクランプ
B          コントローラ
C          電球
D          壁  
E          スイッチ
E１        パネル
F          制御モジュール
F１        外蓋
F２        底蓋
F３        導線
G          回路板
G１        受信端
G２        制御コネクタ
G３        伝送コネクタ
G４        マイクロプロセッサ
G５        電源回路
G６        短絡保護回路
G７        駆動回路
G８        無線受信器
G９        エンコードスイッチ
H          電源
I          リモートコントローラ
I１        無線信号
I２        発信端
I３        無線発信器
I４        マイクロプロセッサ
I５        エンコードスイッチ
I６        ボタンスイッチ
I７        上蓋
I８        底蓋
I９        回路板
I１０      電池
J          オン
J１        オフ
K          発光状態
K１        調光状態
K２        固定状態
K３        消灯状態
L          ランダム時間
【図１】
0003111993.tif 000003
【図１ａ】
0003111993.tif 000004
【図２】
0003111993.tif 000005
【図２ｂ】
0003111993.tif 000006
【図３】
0003111993.tif 000007
【図４】
0003111993.tif 000008
【図４−１】
0003111993.tif 000009
【図５】
0003111993.tif 000010
【図６】
0003111993.tif 000011
【図７】
0003111993.tif 000012
【図８】
0003111993.tif 000013
【図９】
0003111993.tif 000014
【図９ｃ】
0003111993.tif 000015
【図１０】
0003111993.tif 000016
【図１０ｄ】
0003111993.tif 000017
【図１１】
0003111993.tif 000018
【図１１ｅ】
0003111993.tif 000019